(57)【要約】【課題】吸収性物品をコンパクトに丸めた状態を維持し、後処理用のテープ部材によって清潔に廃棄可能な吸収性物品を提供する。【解決手段】吸収性物品（１０）は、本体部（２０）と、後処理用のテープ部材（６０）と、を有する。本体部は、本体部の前後方向の中心に対して前後方向の一方側に位置する第１領域（Ｒ１）と、本体部の前後方向の中心に対して前後方向の他方側に位置する第２領域（Ｒ２）と、を有する。第１領域及び第２領域のそれぞれには、本体部を前後方向に折り曲げる基点となる折曲基点部（８０）が複数設けられている。テープ部材は、第１領域に固定されている。第２領域の折曲基点部の平均間隔は、第１領域の折曲基点部の平均間隔よりも短い。【選択図】図１
2019115592.tif 000002
【特許請求の範囲】
【請求項１】
前後方向と、
前記前後方向に直交する幅方向と、
表面シート、裏面シート及び吸収コアを有する本体部と、
後処理用のテープ部材と、を有し、
前記本体部は、前記本体部の前記前後方向の中心に対して前記前後方向の一方側に位置する第１領域と、前記本体部の前記前後方向の中心に対して前記前後方向の他方側に位置する第２領域と、を有する、吸収性物品であって、
前記第１領域及び前記第２領域のそれぞれには、前記本体部を前記前後方向に折り曲げる基点となる折曲基点部が複数設けられており、
前記テープ部材は、前記第１領域に固定されており、
前記第２領域の前記折曲基点部の平均間隔は、前記第１領域の前記折曲基点部の平均間隔よりも短い、吸収性物品。
【請求項２】
前記第１領域は、前記前後方向の中心に対して後側に位置する、請求項１に記載の吸収性物品。
【請求項３】
前記第２領域の前記折曲基点部の数は、前記第１領域の前記折曲基点部の数よりも多い、請求項１又は請求項２に記載の吸収性物品。
【請求項４】
前記第１領域の前記幅方向の最大長さは、前記第２領域の前記幅方向の最大長さよりも長い、請求項１から請求項３のいずれか１項に記載の吸収性物品。
【請求項５】
前記折曲基点部は、少なくとも前記吸収コアを厚み方向に圧搾した圧搾部を含む、請求項１から請求項４のいずれか１項に記載の吸収性物品。
【請求項６】
前記圧搾部は、肌対向面側から非肌対向面側に向かって凹んでいる、請求項５に記載の吸収性物品。
【請求項７】
前記折曲基点部は、前記前後方向において隣接する領域に対して前記吸収コアの吸収材料の目付が異なる目付変化部を含む、請求項１から請求項６のいずれか１項に記載の吸収性物品。
【請求項８】
前記目付変化部は、前記前後方向に隣接する領域に対して目付が低い低目付部であり、
前記低目付部は、前記幅方向に沿って設けられており、
前記前後方向に沿った断面視にて、前記低目付部の肌対向面の前記前後方向の長さは、前記低目付部の非肌対向面の前記前後方向の長さよりも長い、請求項７に記載の吸収性物品。
【請求項９】
前記折曲基点部は、前記吸収性物品の肌対向面が向き合うように折り畳む折り目を含む、請求項１から請求項８のいずれか１項に記載の吸収性物品。
【請求項１０】
前記折曲基点部は、前記幅方向に沿って延びている、請求項１から請求項９のいずれか１項に記載の吸収性物品。
【請求項１１】
前記折曲基点部は、前記幅方向の長さが前記前後方向の長さよりも長い第１折曲基点部と、前記前後方向の長さが前記幅方向の長さよりも長い第２折曲基点部と、を有し、
前記第１折曲基点部の数は、前記第２折曲基点部の数よりも多い、請求項１から請求項１０のいずれか１項に記載の吸収性物品。
【請求項１２】
前記折曲基点部は、前記第１領域における前記本体部の前記前後方向の外端縁から前記本体部の前記前後方向の長さの１／３までの範囲に、３つ以上設けられている、請求項１から請求項１１のいずれか１項に記載の吸収性物品。
【発明の詳細な説明】
【技術分野】
【０００１】
本発明は、後処理用のテープ部材を備えた吸収性物品に関する。
【背景技術】
【０００２】
特許文献１は、後処理用のテープ部材を備えた吸収性物品を開示している。このような後処理用のテープ部材を有する吸収性物品を廃棄する際は、使用者は、吸収性物品の前後方向の一端を中心にして吸収性物品を前後方向に丸め、当該丸めた状態の吸収性物品の前後方向の他端をテープ部材によって固定する。
【先行技術文献】
【特許文献】
【０００３】
【特許文献１】特開２０１０−２２０７４７号公報
【発明の概要】
【発明が解決しようとする課題】
【０００４】
しかし、廃棄時の吸収性物品は、体液を吸収しており、使用前と比較してその厚みが厚い。そのため、吸収性物品を前後方向に丸める際に、コンパクトに丸め難いことがあった。また、吸収性物品を一旦丸めた場合であっても、吸収性物品が展開しようとする力が作用し、丸めた状態を維持し難いことがあった。そのため、テープ部材を用いて吸収性物品を丸めた状態で固定できないことがある。
【０００５】
したがって、吸収性物品をコンパクトに丸めた状態を維持し、後処理用のテープ部材によって清潔に廃棄可能な吸収性物品が望まれる。
【課題を解決するための手段】
【０００６】
一態様に係る吸収性物品は、前後方向と、前記前後方向に直交する幅方向と、表面シート、裏面シート及び吸収コアを有する本体部と、前記本体部は、前記本体部の前記前後方向の中心に対して前記前後方向の一方側に位置する第１領域と、前記本体部の前記前後方向の中心に対して前記前後方向の他方側に位置する第２領域と、を有する吸収性物品であって、前記第１領域及び前記第２領域のそれぞれには、前記本体部を前記前後方向に折り曲げる基点となる折曲基点部が複数設けられており、前記テープ部材は、前記第１領域に固定されており、前記第２領域の前記折曲基点部の平均間隔は、前記第１領域の前記折曲基点部の平均間隔よりも短い。
【図面の簡単な説明】
【０００７】
【図１】図１は、肌対向面側から見た実施形態に係る吸収性物品の平面図である。
【図２】図２は、非肌対向面側から見た実施形態に係る吸収性物品の平面図である。
【図３】図３は、図１に示すＡ−Ａ線に沿った吸収性物品の断面図である。
【図４】図４は、前後方向に巻かれた状態の吸収性物品の斜視図である。
【図５】図５は、肌対向面側から見た変形例１に係る吸収性物品の平面図である。
【発明を実施するための形態】
【０００８】
（１）実施形態の概要
本明細書及び添付図面の記載により、少なくとも以下の事項が明らかとなる。
【０００９】
一態様に係る吸収性物品は、前後方向と、前記前後方向に直交する幅方向と、表面シート、裏面シート及び吸収コアを有する本体部と、前記本体部は、前記本体部の前記前後方向の中心に対して前記前後方向の一方側に位置する第１領域と、前記本体部の前記前後方向の中心に対して前記前後方向の他方側に位置する第２領域と、を有する吸収性物品であって、前記第１領域及び前記第２領域のそれぞれには、前記本体部を前記前後方向に折り曲げる基点となる折曲基点部が複数設けられており、前記テープ部材は、前記第１領域に固定されており、前記第２領域の前記折曲基点部の平均間隔は、前記第１領域の前記折曲基点部の平均間隔よりも短い。
【００１０】
使用者は、廃棄時に第２領域側から吸収性物品を丸め、テープ部材によって丸めた状態の吸収性物品を固定する。このとき、丸めた状態で内側に位置する第２領域の折曲基点部の平均間隔が短いため、コンパクトに丸めることができる。また、丸めた状態で外側に位置する第１領域にも複数の折曲基点部が設けられているため、第１領域及び第２領域ともに容易に丸めることができ、かつ丸めた状態を維持し易い。よって、吸収性物品をコンパクトに丸めた状態を維持し、後処理用のテープ部材によって清潔に廃棄することができる。
【００１１】
好ましい一態様によれば、前記第１領域は、前記前後方向の中心に対して後側に位置する。
【００１２】
使用者は、通常吸収性物品を丸める際に、吸収性物品の前端縁又は後端縁から前後方向に丸め始める。そのうち、約８割の使用者は、吸収性物品の前端縁から丸め始める。よって、テープ部材は、前後方向の中心に対して後側に位置する領域に設けられていることが好ましい。
【００１３】
好ましい一態様によれば、前記第２領域の前記折曲基点部の数は、前記第１領域の前記折曲基点部の数よりも多い。
【００１４】
丸めた状態で内側に位置する第２領域に折曲基点部の数が多いため、丸めた状態の内側に多くの変形基点が形成され、コンパクトにより丸め易い。
【００１５】
好ましい一態様によれば、前記第１領域の前記幅方向の最大長さは、前記第２領域の前記幅方向の最大長さよりも長い。
【００１６】
丸めた状態で外側に位置する第１領域の幅方向の最大長さが長いため、丸めた状態で内側に位置する第２領域を外側に位置する第１領域によって覆うことができ、丸めた状態をより維持し易くなる。
【００１７】
好ましい一態様によれば、前記折曲基点部は、少なくとも前記吸収コアを厚み方向に圧搾した圧搾部を含む。
【００１８】
圧搾部は、圧搾部が形成されていない領域と比較して剛性が高く、かつ厚みが薄い。当該圧搾部が折曲基点部を構成することにより、厚み差及び剛性差によって吸収性物品をコンパクトに丸め易くなる。
【００１９】
好ましい一態様によれば、前記圧搾部は、肌対向面側から非肌対向面側に向かって凹んでいる。
【００２０】
使用者は、一般的に、廃棄時に排泄物が付着した肌対向面側を内側にして吸収性物品を丸める。肌対向面側から非肌対向面側に向かって圧搾部が凹んでいるため、肌対向面側が近づくように変形し易く、肌対向面側を内側にして吸収性物品を丸め易くなる。
【００２１】
好ましい一態様によれば、前記折曲基点部は、前記前後方向において隣接する領域に対して前記吸収コアの吸収材料の目付が異なる目付変化部を含む。
【００２２】
目付変化部は、前後方向に隣接する領域と吸収材料の目付が異なっており、吸収コアの厚さ及び剛性が異なる。当該目付変化部が折曲基点部を構成することにより、厚み差及び剛性差によって吸収性物品をコンパクトに丸め易くなる。
【００２３】
好ましい一態様によれば、前記低目付部は、前記前後方向に隣接する領域に対して目付が低い低目付部であり、
前記低目付部は、幅方向に沿って設けられており、
前記前後方向に沿った断面視にて、前記低目付部の肌対向面の前記前後方向の長さは、前記低目付部の非肌対向面の前記前後方向の長さよりも長い。
【００２４】
使用者は、一般的に、廃棄時に排泄物が付着した肌対向面側を内側にして吸収性物品を丸める。低目付部の肌対向面の前後方向の長さが低目付部の非肌対向面の前後方向の長さよりも長いため、肌対向面側が近づくように変形し易く、肌対向面側を内側にして吸収性物品を丸め易くなる。
【００２５】
好ましい一態様によれば、前記折曲基点部は、前記吸収性物品の肌対向面が向き合うように折り畳む折り目を含む。
【００２６】
折り目の折り癖によって肌対向面側が近づくように変形し易く、肌対向面側を内側にして吸収性物品を丸め易くなる。
【００２７】
好ましい一態様によれば、前記折曲基点部は、前記幅方向に沿って延びている。
【００２８】
吸収性物品を丸める際の変形基点が幅方向に沿って延び、吸収性物品の幅方向全域を前後方向に丸め易くなる。
【００２９】
好ましい一態様によれば、前記折曲基点部は、前記幅方向の長さが前記前後方向の長さよりも長い第１折曲基点部と、前記前後方向の長さが前記幅方向の長さよりも長い第２折曲基点部と、を有し、前記第１折曲基点部の数は、前記第２折曲基点部の数よりも多い。
【００３０】
第１折曲基点部の数が第２折曲基点部の数多いため、吸収性物品を丸める際に幅方向よりも前後方向に丸め易くなる。よって、吸収性物品を前後方向によりコンパクトに丸めやすく、また丸めた状態をより維持し易くなる。
【００３１】
好ましい一態様によれば、前記折曲基点部は、前記第１領域における前記本体部の前記前後方向の外端縁から前記本体部の前記前後方向の長さの１／３までの範囲に、３つ以上設けられている。
【００３２】
本体部を前後方向に丸めた状態の周長は、一般的に、本体部の前後方向の長さに対する１／３位になる。本体部の前後方向の長さに対する１／３は、丸めた状態で外側の表面に位置する部分となる。当該部分に３つ以上の折曲基点部が設けられていることにより、丸めた状態をより維持し易くなる。
【００３３】
（２）吸収性物品の構成
以下、図面を参照して、実施形態に係る吸収性物品ついて説明する。吸収性物品は、生理用ナプキン、パンティライナー、母乳パッド、大人用失禁パッド、糞便パッド又は汗取りシートのような吸収性物品であってよい。吸収性物品は、下着のような着用物品の内側に取り付けられて使用される物品であってよい。
【００３４】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００３５】
図１は、肌対向面側から見た第１実施形態に係る吸収性物品１０の平面図である。図２は、非肌対向面側から見た第１実施形態に係る吸収性物品１０の平面図である。ここで、「肌対向面側」は、使用中に着用者の肌に面する側に相当する。「非肌対向面側」は、使用中に着用者の肌とは反対に向けられる側に相当する。図３は、図１に示すＡ−Ａ線に沿った断面図であり、図４は、前後方向に巻かれた状態の吸収性物品の斜視図である。
【００３６】
吸収性物品１０は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。
【００３７】
吸収性物品１０は、本体部２０と、後処理用のテープ部材６０と、を有する。本体部２０は、着用者の肌に向けられる表面シート２１と、着用者の肌とは反対側に向けられる裏面シート２２と、表面シート２１と裏面シート２２の間に配置された吸収コア２３と、を含む。表面シート２１は、使用中に着用者の肌の方に向く。裏面シート２２は、使用中に、着用者の肌とは反対側に向けられる。吸収コア２３は、吸収性物品の前後方向Ｌに沿って延びている。
【００３８】
本体部２０は、本体部２０の前後方向Ｌの中心２０ＣＬに対して前後方向Ｌの一方側に位置する第１領域Ｒ１と、本体部２０の前後方向Ｌの中心２０ＣＬに対して前後方向Ｌの他方側に位置する第２領域Ｒ２と、を有してよい。第１領域Ｒ１は、テープ部材６０が固定された領域であり、第２領域Ｒ２は、テープ部材６０が固定されていない領域である。本実施の形態の第１領域Ｒ１は、本体部２０の前後方向Ｌの中心２０ＣＬに対して後側に位置し、第２領域Ｒ２は、本体部２０の前後方向Ｌの中心２０ＣＬに対して前側に位置している。第１領域Ｒ１は、本体部２０の後端縁と中心２０ＣＬとの間の領域であり、第２領域Ｒ２は、本体部２０の前端縁と中心２０ＣＬとの間の領域である。
【００３９】
本体部２０は、圧搾部２６を有してよい。圧搾部２６は、少なくとも吸収コア２３を厚み方向に圧縮されていればよく、表面シート２１と吸収コア２３が圧縮されていてもよい。また、圧搾部２６は、周囲よりも密度が高く、その剛性が高い。圧搾部２６は、肌対向面側から非肌対向面側に凹んでよい。表面シート側から裏面シート側に圧縮することによって、圧搾部２６は、肌対向面側Ｔ１から非肌対向面側Ｔ２に凹む形状となる。
【００４０】
吸収コア２３は、低目付部２５及び高目付部２７（図５参照）を有してよい。低目付部２５は、周囲と比較して吸収材料の目付が低い領域である。ここで、「低目付部」は、その周囲の吸収コアよりも低い目付を有する吸収コアからなる領域、又は吸収コアを有していない領域（すなわち目付が零の領域）を意味するものとする。高目付部２７は、周囲と比較して吸収材料の目付が高い領域である。低目付部２５及び高目付部２７は、後述する目付変化部を構成する。
【００４１】
本体部２０は、ヒップフラップ５０を有していてもよい。ヒップフラップ５０は、本体部２０の前後方向の中心２０ＣＬよりも後側において、幅方向Ｗに膨らんだ部分である。ヒップフラップ５０は、幅方向Ｗにおける吸収コア２３の外縁よりも外側に膨らんだ部分である。本体部２０は、ウイングを有してもよい。本体部２０は、使用中に着用者の排泄口（例えば膣口）に対向する排泄口対向域Ｓ１を有する。排泄口対向域Ｓ１は、着用者の股下、すなわち着用者の両足の間に配置される領域であって、吸収コア２３が存在する領域に相当する。
【００４２】
図２に示すように、本体部２０は、裏面シート２２の非肌対向面側に設けられた粘着部５２，７０を有してよい。粘着部５２，７０は、吸収性物品１０を着用物品に止めるための粘着剤が設けられた領域である。粘着部は、本体粘着部７０と、フラップ粘着部５２と、を含んでよい。
【００４３】
裏面シート２２の非肌対向面側に設けられた粘着部５２，７０によって、吸収性物品１０を下着等の着用物品に固定することができる。また、粘着部５２，７０によって、吸収性物品１０の使用後に、吸収性物品１０を巻いた状態でテープ部材６０を止着させ、巻いた状態を維持することもできる。したがって、粘着部５２，７０は、着衣に固定する用途と、後処理用のテープ部材を止着する用途と、の２つに兼用できる。
【００４４】
本体粘着部７０は、吸収性物品１０の厚み方向Ｔにおいて、吸収コア２３と重なる領域に設けられている。本体粘着部７０は、少なくとも排泄口対向域Ｓ１から吸収性物品１０の後方へ連続的又は断続的に延びていることが好ましい。本体粘着部７０は、前後方向Ｌに延びており、幅方向Ｗに間隔をあけて複数設けられていてよい。他の形態において、本体粘着部７０は、幅方向Ｗに延び、かつ前後方向に間隔を空けて複数設けられてよい。フラップ粘着部５２は、ヒップフラップ５０に設けられている。
【００４５】
吸収性物品１０は、幅方向Ｗに沿って延びた折り目を有していてもよい。折り目は、吸収性物品の肌対向面が向き合うように折り畳む折り目であってよい。図１，２に示す例では、吸収性物品１０の折り目は、第１折り目Ｆ１と、第２折り目Ｆ２と、第３折り目Ｆ３と、を有している。第１折り目Ｆ１は、吸収性物品１０の前端縁Ｅ１に最も近い折り目である。第２折り目Ｆ２は、吸収性物品１０の後端縁Ｅ２に最も近い折り目である。第３折り目Ｆ３は、第１折り目Ｆ１と第２折り目Ｆ２の間に配置される。なお、折り目は、４本以上設けられていてもよい。折り目は、吸収性物品の包装時に、吸収性物品の肌対向面側Ｔ１を内側にして吸収性物品１０を折り畳むためのラインである。
【００４６】
テープ部材６０は、本体部２０の第１領域Ｒ１に固定されている。テープ部材６０は、図３に示すように、本体部２０に固定された固定部６２を有してよい。固定部６２は、テープ部材６０の一端に設けられてよい。固定部６２は、接着剤等の接着手段によって本体部２０に固定されてよい。固定部６２は、本体部２０の非肌対向面を構成する裏面シート２２に固定されてよい。
【００４７】
また、テープ部材６０は、本体部２０に固定されていない非固定部６４を有してよい。非固定部６４は、裏面シート２２に固定されてなく、使用者がテープ部材６０を操作する部分である。より詳細には、使用者は、テープ部材６０を使用する際に、非固定部６４を引っ張ったり、固定部６２を基点に非固定部６４を折り返したりした後に、非固定部６４を本体部２０に止着する。非固定部６４は、伸長方向に伸長可能に構成されてよい。非固定部６４の伸長方向は、固定部６２から非固定部６４に向かう方向であってよい。固定部６２と非固定部６４が前後方向Ｌに隣接する構成にあっては、伸長方向は、前後方向Ｌであってよい。ここで、「伸長」とは、「弾性変形」又は「塑性変形」による伸長を含む。一例として、テープ部材６０は、伸縮性シート、フィルムから構成されていてよい。
【００４８】
テープ部材６０の非固定部６４に仮固定部（図示せず）を設けてもよい。仮固定部は、本体部２０の非肌対向面である裏面シート２２に剥離可能に接合されてよい。仮固定部を設けることにより、テープ部材６０の使用前（製造時、着用時）に非固定部６４が捲れたり、非固定部６４が折れたりすることを抑制できる。仮固定部の接合力は、固定部６２の接合力よりも低くてよい。仮固定部の接合力が固定部６２の接合力よりも低いため、使用者は、テープ部材６０の使用時に容易に仮固定部を剥がし、非固定部６４を掴んでテープ部材６０を操作することができる。仮固定部の固定手段としては、接着剤、エンボス加工、熱溶着、超音波溶着を例示でき、固定部６２よりも接着剤の塗布量（面積、目付）を少なくしたり、固定部６２よりもエンボス加工の圧搾を弱くしたりできる。また、仮固定部は、本体部の外縁のエンボスによって構成されていてもよい。
【００４９】
テープ部材６０は、吸収性物品１０の廃棄時に、吸収性物品の肌対向面側を内側にして巻かれた状態の本体部２０に止着し、吸収性物品１０が巻かれた状態を維持するように構成されてよい。テープ部材６０の非固定部６４は、本体部２０に対して止着可能に構成されている。非固定部６４が本体部２０に止着する構成は、本体部２０の粘着部であってもよいし、テープ部材６０に設けられた粘着剤やフック部材等の止着手段であってもよい。
【００５０】
本実施の形態のテープ部材６０の非固定部６４は、本体粘着部７０を介して廃棄時に本体部２０に止着する。本体部２０の粘着部によってテープ部材６０が本体部２０に止着する構成にあっては、非固定部６４には、粘着剤等の止着手段が設けられていなくてよい。
【００５１】
図２に示すように、テープ部材６０は、伸長していない状態（自然状態）において、本体部２０の外縁２０Ｅよりも内側に配置されてもよい。テープ部材６０は、肌対向面側から見ると、本体部２０に隠れた状態であってもよい。図３に示すように、テープ部材６０は、伸長した状態（伸長状態）において、本体部２０の外縁２０Ｅよりも外側に延出してもよい。使用者は、吸収性物品１０の使用後に本体部２０を前後方向Ｌに巻いた後、テープ部材６０を本体部２０の外縁２０Ｅよりも外側に延出させ、本体部２０にテープ部材６０を止着することができる（図４参照）。
【００５２】
このような構成によれば、吸収性物品１０の使用中においては、テープ部材６０は、裏面シート２２の非肌対向面側で本体部２０の外縁２０Ｅよりも内側に配置されているため、経血のような体液が付されない。使用者は、吸収性物品１０の使用後に、外側に延出させたテープ部材６０を本体粘着部７０等に止着することによって、吸収性物品１０を丸めた状態に維持することができる。ここで、テープ部材６０に経血のような体液が付着しないため、テープ部材６０と本体粘着部７０との接合力の低下、又はテープ部材の止着手段の接合力の低下を防止することができる。さらに、吸収性物品１０の使用中においては、テープ部材６０は、裏面シート２２の非肌対向面側に設けられ、本体部２０の外縁２０Ｅより外側へ延びていないため、テープ部材６０は、着用者の肌に直接当たらない。したがって、使用中の違和感や不快感を低減することができる。
【００５３】
また、他の形態において、テープ部材６０は、伸長していない状態（自然状態）において、本体部２０の外縁２０Ｅよりも外側に延出していてもよい。テープ部材６０は、肌対向面側から見ると、視認可能な状態であってもよい。
【００５４】
テープ部材６０は、本体部２０の前後方向Ｌの中心よりも後側に設けられていることが好ましい。使用者は、通常吸収性物品１０を丸める際に、吸収性物品１０の前端縁Ｅ１又は後端縁かＥ２から前後方向Ｌに丸め始める。そのうち、約８割の使用者は、吸収性物品１０の前端縁Ｅ１から丸め始める。よって、テープ部材６０は、本体部２０の前後方向Ｌの中心２０ＣＬに対して後側に位置する領域に設けられていることが好ましい。テープ部材６０の少なくとも一部は、吸収コア２３の後端縁を跨いで、または吸収コアの後端縁よりも後側に配置されてよい。
【００５５】
また、テープ部材６０は、第１折り目Ｆ１〜第３折り目Ｆ３のうちの最も後側の第２折り目Ｆ２よりも後側に設けられていることがより好ましい。約８割の使用者は、使用後の吸収性物品１０を前側から巻き始める。テープ部材６０が第２折り目Ｆ２よりも後側に設けられていることにより、多くの使用者は、吸収性物品１０の前端縁Ｅ１から丸め始め、巻き終わり部分をテープ部材６０によって止着できる。
【００５６】
本実施の形態の吸収性物品の具体的な構成の一例を示す。表面シートは、目付３０ｇ／ｍ２のエアースルー不織布（PE/PET）によって構成されてよい。表面シートと吸収コアの間にセカンドシートが設けられてよい。セカンドシートしては、表面シートと同様の材料によって構成されてよい。本体部の幅方向の外側には、表面シートが配置されず、サイドシートが配置されてもよい。サイドシートとしては、目付１３ｇ／ｍ２のＳＭＳ不織布（PP）によって構成されてよい。吸収コアの吸収材料は、針葉樹クラフトパルプと高吸収ポリマーによって構成されてよい。吸収材料全体の重量に対する高吸収ポリマーの重量の比率は、１０％であってよい。排泄口対向域を含む領域の吸収コアの目付は、周囲の吸収コアの目付よりも高く構成されてよい。排泄口対向域Ｓ１を含む領域の吸収コアの目付は、９５０ｇ／ｍ２であってよく、周囲の吸収コアの目付は、３００ｇ／ｍ２であってよい。裏面シートは、目付２３．５ｇ／ｍ２のポリエチレンフイルム（非通気タイプ）によって構成されてよい。吸収性物品は、表面シートと吸収コアが厚み方向に圧搾された圧搾部が形成されていてもよい。本体粘着部は、ゴム系のホットメルト型接着剤によって構成されてよい。本体粘着部の目付は、２７ｇ／ｍ２のであってよい。本体粘着部は、幅方向に空けて６本設けられてよい。各本体粘着部の幅方向の長さは、５ｍｍ、各本体粘着部の前後方向の長さは、３２０ｍｍであってよい。吸収性物品の前後方向の長さは、４２０ｍｍ、吸収性物品の幅方向の長さは、２００ｍｍであってよい。後処理用のテープ部材は、目付３５ｇ／ｍ２のポリエチレンフイルムによって構成されてよい。テープ部材の長手方向の長さは、４５ｍｍ、テープ部材の短手方向の長さは、２５ｍｍであってよい。テープ部材は、１００ｇ／ｍ２のゴム系のホットメルト型接着剤によって本体部に固定されてよい。接着剤は、幅21ｍｍ、かつ長さ5ｍｍの範囲で塗布されてよい。テープ部材の裏面シート側の面には、印刷が施されてよい。印刷は、ピンク糸のウレタン系インクを用いてよい。また、伸長するテープ部材としては、目付１０ｇ／ｍ２のポリプロピレン層、１０ｇ／ｍ２のスチレン系ゴム層、及び目付１０ｇ／ｍ２のポリプロピレン層の積層によって構成されてよい。
【００５７】
次いで、このように構成された吸収性物品の折曲基点部８０について説明する。折曲基点部８０は、本体部２０を前後方向Ｌに折り曲げる際の基点となる。折曲基点部８０は、剛性差、厚み差、目付差等によって本体部２０を折り曲げ易くする。
【００５８】
折曲基点部８０は、圧搾部２６を含んでよい。より詳細には、圧搾部２６の前端縁及び後端縁は、折曲基点部８０を構成する。また、複数の圧搾部が前後方向にずれて配置されている構成にあっては、それぞれの圧搾部の前端縁及び後端縁が折曲基点部８０を構成する。折曲基点部８０を構成する圧搾部は、吸収コアを圧縮した部分であり、表面シートのみを圧縮した部分を含まない。圧搾部２６は、圧搾部２６が形成されていない領域と比較して剛性が高く、かつ厚みが薄い。当該圧搾部２６が折曲基点部８０を構成することにより、厚み差及び剛性差によって本体部２０をコンパクトに丸め易くなる。好適には、図３に示すように、圧搾部２６は、肌対向面側Ｔ１から非肌対向面側Ｔ２に向かって凹んでいてよい。使用者は、一般的に、廃棄時に排泄物が付着した肌対向面側Ｔ１を内側にして吸収性物品１０を丸める。肌対向面側Ｔ１から非肌対向面側Ｔ２に向かって圧搾部２６が凹んでいるため、肌対向面側Ｔ１が近づくように変形し易く、肌対向面側Ｔ１を内側にして吸収性物品を丸め易くなる。
【００５９】
折曲基点部８０は、目付変化部を含んでよい。目付変化部は、前後方向Ｌにおいて隣接する領域に対して吸収コア２３の吸収材料の目付が異なる部分である。具体的には、吸収コア２３の前端縁及び後端縁は、目付変化部を構成する。高目付部の前端縁及び後端縁も、目付変化部を構成する。低目付部は、前後方向の長さによって異なる。低目付部の前後方向の長さが２０ｍｍ未満の場合には、当該低目付部の前後方向の中心は、目付変化部を構成する。低目付部の前後方向の長さが２０ｍｍ以上の場合には、当該低目付部の前端縁及び後端縁が目付変化部を構成する。また、前後方向に離れて複数の低目付部が設けられ、かつ当該複数の低目付部が連なっている場合には、前後方向に離れた低目付部のそれぞれが目付変化部を構成する。このように構成された目付変化部は、前後方向に隣接する領域と吸収材料の目付が異なっており、吸収コア２３の厚さ及び剛性が異なる。当該目付変化部が折曲基点部を構成することにより、厚み差及び剛性差によって吸収性物品をコンパクトに丸め易くなる。
【００６０】
好ましくは、目付変化部としての低目付部２５は、幅方向に沿って設けられてよい。図３に示す前後方向Ｌに沿った断面視にて、低目付部２５の肌対向面の前後方向の長さＬ２５１は、低目付部２５の非肌対向面の前後方向Ｌの長さＬ２５２よりも長くてよい。低目付部２５の肌対向面の前後方向の長さＬ２５１が低目付部２５の非肌対向面の前後方向の長さＬ２５２よりも長いため、肌対向面側が近づくように変形し易く、肌対向面側を内側にして吸収性物品１０を丸め易くなる。
【００６１】
折曲基点部８０は、吸収性物品１０の肌対向面が向き合うように折り畳む折り目Ｆ１、Ｆ２及びＦ３を含んでよい。折り目が前後方向Ｌに一定の長さを有している構成にあっては、折り目Ｆ１、Ｆ２及びＦ３の前端縁及び後端縁が、折曲基点部８０を構成する。折り目Ｆ１、Ｆ２及びＦ３の折り癖によって肌対向面側が近づくように変形し易く、肌対向面側を内側にして吸収性物品１０を丸め易くなる。すなわち、折曲基点部８０は、圧搾部２６、低目付部２５及び折り目の少なくともいずれかによって構成されてよい。このように折曲基点部８０が設けられていることにより、使用者が吸収性物品１０を前後方向に巻きやすくなり、丸めた状態で廃棄し易くなる。
【００６２】
第１領域Ｒ１及び第２領域Ｒ２のそれぞれには、折曲基点部８０が複数設けられている。すなわち、折曲基点部８０は、第１領域Ｒ１に複数設けられ、かつ第２領域Ｒ２に複数設けられている。第１領域Ｒ１及び第２領域Ｒ２のそれぞれに複数の折曲基点部８０が設けられているため、吸収性物品全体を前後方向に丸め易くなる。間隔は、前後方向に隣接する折曲基点部どうしの前後方向の距離であってよい。なお、折曲基点部８０が前後方向に間隔を空けて複数設けられている構成にあっては、それぞれが折曲基点部８０として機能する。ただし、折曲基点部８０同士の前後方向の距離が５ｍｍ以下の場合には、一体化した変形基点として機能するため、５ｍｍ以下の間隔で設けられた複数の折曲基点部８０全体が１個の折曲基点部を構成する。
【００６３】
具体的には、本実施の形態の第２領域Ｒ２の折曲基点部８０は、前側から後側に向かって前後方向に間隔を空けて次の順序で設けられている。第２領域の折曲基点部８０は、吸収コアの前端縁、幅方向に延びる圧搾部２６、幅方向に間隔が空いた一対の点状の圧搾部２６、本体部の幅方向の中心に位置する圧搾部２６、第１折り目Ｆ１、低目付部２５、低目付部２５、及び第３折り目Ｆ３を含む。本実施の形態の第１領域Ｒ１の折曲基点部８０は、前側から後側に向かって前後方向に間隔を空けて次の順序で設けられている。第１領域Ｒ１の折曲基点部８０は、第２折り目Ｆ３、前後方向Ｌに延びる圧搾部２６、幅方向に延びる圧搾部２６、第２折り目Ｆ２、幅方向に延びる圧搾部２６及び吸収コアの後端縁を含む。
【００６４】
第２領域Ｒ２の折曲基点部８０の平均間隔は、第１領域Ｒ１の折曲基点部８０の平均間隔よりも短い。間隔は、各領域において前後方向Ｌに隣り合う折曲基点部８０同士の間隔である。当該間隔は、吸収性物品の外端縁と、最も前後方向の外側に位置する折曲基点部８０との距離も含む。平均間隔は、例えば、第１領域Ｒ１に２本の折曲基点部８０が設けられている構成にあっては、当該２本の折曲基点部８０の間隔Ｄ１である。また、第１領域Ｒ１に第１折曲基点部、第２折曲基点部及び第３折曲基点部の３本が設けられている構成にあっては、第１折曲基点部と第２折曲基点部の間隔と、第２折曲基点部と第３折曲基点部の間隔と、の平均値である。また、間隔は、第１折曲基点部と第２折曲基点部の前後方向の距離であり、例えば、第１折曲基点部の後端縁と第２折曲基点部の前端縁との前後方向Ｌの距離である。図１に、第１領域Ｒ１における折曲基点部８０の間隔Ｄ１と、第２領域Ｒ２の折曲基点部８０の間隔Ｄ２と、を示す。なお、複数の折曲基点部８０全体が１個の折曲基点部を構成する場合は、５ｍｍ以下の間隔で設けられた折曲げ基点部同士の間隔は、折曲基点部８０の間隔に含まない。
【００６５】
なお、幅方向Ｗに沿う同一ライン上に同一形状の折曲基点部が複数設けられている構成にあっては、同一ライン上の折曲基点部のうち１個のみを選択し、前後方向の間隔を測定する。具体的には、図１に示すように、第２領域Ｒ２には、幅方向Ｗに間隔を空けた点状の圧搾部２６が設けられている。点状の圧搾部２６は、幅方向Ｗに沿う同一ラインＦＬ１上に設けられた第１点状圧搾部２６１及び第２点状圧搾部２６２を有する。第１点状圧搾部２６１及び第２点状圧搾部２６２と前後方向Ｌに離間して、第３点状圧搾部２６３が設けられている。第２領域Ｒ２の折曲基点部８０の平均間隔を算出する際は、第１点状圧搾部２６１と第３点状圧搾部２６３の間隔Ｄ２を算入し、第２点状圧搾部２６２と第３点状圧搾部２６３の間隔Ｄ２を算入しなくてよい。第１点状圧搾部２６１及び第２点状圧搾部２６２が協働して、本体部２０を前後方向Ｌに曲げる基点として機能し、前後方向Ｌにずれた折曲基点を構成しないためである。
【００６６】
使用者は、廃棄時に第２領域Ｒ２側から吸収性物品１０を丸め、テープ部材６０によって丸めた状態の吸収性物品１０を固定する。このとき、丸めた状態で内側に位置する第２領域Ｒ２の折曲基点部８０の平均間隔が短いため、コンパクトに丸めることができる。また、丸めた状態で外側に位置する第１領域Ｒ１にも複数の折曲基点部８０が設けられているため、第１領域Ｒ１及び第２領域Ｒ２ともに容易に丸めることができ、かつ丸めた状態を維持し易い。よって、吸収性物品１０をコンパクトに丸めた状態を維持し、テープ部材６０によって清潔に廃棄することができる。
【００６７】
第２領域Ｒ２の折曲基点部８０の数は、第１領域Ｒ１の折曲基点部８０の数よりも多くてよい。丸めた状態で内側に位置する第２領域Ｒ２の折曲基点部の数が多いため、丸めた状態の内側に多くの変形基点が形成され、コンパクトにより丸め易い。折曲基点部８０の数は、全ての折曲基点部８０の数を足すことによって算出する。例えば、幅方向Ｗに沿う同一ライン上に同一形状の折曲基点部が複数設けられている構成にあっては、同一ライン上の折曲基点部のうち１個のみを選択せず、全ての折曲基点部を足して、折曲基点部の数を算出する。吸収性物品を丸める際は、前後方向に巻こうとしても前後方向に対して斜めに巻かれてしまうことがある。このような場合に、第１点状圧搾部２６１と第２点状圧搾部２６２は、異なる曲げ基点として機能するためである。
【００６８】
折曲基点部８０は、幅方向Ｗに沿って延びていてよい。幅方向Ｗに沿って延びる構成は、幅方向Ｗと平行である構成のみならず、幅方向Ｗに対して４５度未満で傾斜する構成も含むものである。吸収性物品１０を丸める際の変形基点が幅方向Ｗに沿って延び、吸収性物品１０の幅方向全域を前後方向に丸め易くなる。
【００６９】
折曲基点部の形状は、限定されず、点状であってもよいし、帯状であってもよいし、円弧状であってもよいし、多角形状であってもよい。折曲基点部８０は、第１折曲基点部８１と、第２折曲基点部８２と、を有してよい。第１折曲基点部８１の幅方向Ｗの長さＷ８１は、第１折曲基点部８１の前後方向Ｌの長さＬ８１よりも長い。第２折曲基点部８２の前後方向Ｌの長さＬ８２は、第２折曲基点部８２の幅方向Ｗの長さＷ８２よりも長い。本体部２０は、第１折曲基点部８１を基点として前後方向Ｌに曲がり易くなり、第２折曲基点部８２を基点として幅方向Ｗにも曲がり易くなる。吸収性物品全体における第１折曲基点部８１の数は、第２折曲基点部８２の数よりも多くてよい。吸収性物品を丸める際に幅方向よりも前後方向に丸め易くなる。よって、吸収性物品を前後方向によりコンパクトに丸めやすく、また丸めた状態をより維持し易くなる。好適には、第２領域Ｒ２において、第１折曲基点部８１の数は、第２折曲基点部８２の数よりも多く、第１領域Ｒ１において、第１折曲基点部８１の数は、第２折曲基点部８２の数よりも多くてよい。
【００７０】
また、吸収性物品１０は、前後方向Ｌに丸めた状態を維持し易く構成されてよい。図２に示すように、第１領域Ｒ１の幅方向Ｗの最大長さＷＲ１は、第２領域Ｒ２の幅方向の最大長さＷＲ２よりも長くてよい。丸めた状態で外側に位置する第１領域の幅方向の最大長さＷＲ１が長いため、丸めた状態で内側に位置する第２領域Ｒ２を外側に位置する第１領域Ｒ１によって覆うことができ、丸めた状態をより維持し易くなる。
【００７１】
折曲基点部８０は、第１領域Ｒ１における本体部２０の前後方向の外端縁から本体部２０の前後方向の長さの１／３までの範囲に、３つ以上設けられてよい。第１領域Ｒ１における本体部２０の前後方向の外端縁は、本実施の形態における本体部２０の後端縁である。図１に、本体部２０の前後方向の外端縁から本体部２０の前後方向の長さの１／３までの範囲Ｒ３を示す。本体部を前後方向に丸めた状態の周長は、一般的に、本体部の前後方向の長さに対する１／３位になる。本体部の前後方向の長さに対する１／３は、丸めた状態で外側の表面に位置する部分となる。当該部分に３つ以上の折曲基点部が設けられていることにより、丸めた状態をより維持し易くなる。
【００７２】
次いで、他の実施形態に係る吸収性物品について説明する。なお、以下の説明において、上述の実施形態と同じ箇所については、同符号を用いて説明を省略する。図５は、変形例１に係る吸収性物品１０Ａの非肌対向面側から見た平面図である。変形例１に係る吸収性物品は、高目付部２７を有している。変形例１に係る吸収性物品１０Ａは、中心２０ＣＬと吸収性物品の後端縁の間にテープ部材６０が設けられている。よって、第１領域Ｒ１は、第２領域Ｒ２よりも後側に位置する。変形例１に係る吸収性物品１０Ａには、複数の折曲基点部８０が設けられている。
【００７３】
具体的には、変形例１の第２領域Ｒ２の折曲基点部８０は、前側から後側に向かって前後方向に間隔を空けて次の順序で設けられている。第２領域の折曲基点部８０は、吸収コアの前端縁、左右一対で設けられた第１圧搾部２６Ａの前端縁、第１圧搾部２６Ａよりも内側に位置する第２圧搾部２６Ｂの前端縁、第２圧搾部２６Ｂの後端縁、第１圧搾部の後端縁、第１圧搾部よりも後方に位置し、左右一対で設けられた第３圧搾部２６Ｃの前端縁、折り目Ｆ１の前端縁、折り目Ｆ１の前端縁、折り目Ｆ１の後端縁、高目付部の前端縁、第３圧搾部２６Ｃよりも後方に位置する第４圧搾部の前端縁、及び第３圧搾部の後端縁を含む。このとき、第２圧搾部２６Ｂの後端縁、第１圧搾部の後端縁、第３圧搾部２６Ｃの前端縁、及び折り目Ｆ１の前端縁は、互いの前後方向の距離が５ｍｍ以下であるため、１個の折曲基点部８０を構成する。
【００７４】
また、変形例１の第１領域Ｒ１の折曲基点部８０は、前側から後側に向かって前後方向に間隔を空けて次の順序で設けられている。第１領域の折曲基点部８０は、高目付部の後端縁、第３折り目の前端縁、第３折り目の後端縁、第４圧搾部２６Ｄよりも後方に位置する第５圧搾部２６Ｅの前端縁、第４圧搾部の後端縁、第５圧搾部２６Ｅよりも後方に位置する第６圧搾部２６Ｆの前端縁、第５圧搾部の後端縁、第２折り目の前端縁、第２折り目の後端縁、第６圧搾部２６Ｆの後端縁、及び吸収コアの後端縁を含む。このとき、第３折り目の後端縁、第５圧搾部２６Ｅの前端縁、及び第４圧搾部の後端縁は、互いの前後方向の距離が５ｍｍ以下であるため、１個の折曲基点部８０を構成する。また、図５において、ハート型で示す部分は、表面シートのみを圧縮した部分であり、折曲基点部を構成しない。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７６】
吸収性物品をコンパクトに丸めた状態を維持し、後処理用のテープ部材によって清潔に廃棄可能な吸収性物品を提供できる。
【符号の説明】
【００７７】
１０    吸収性物品
２０    本体部
２１    表面シート
２２    裏面シート
２３    吸収コア
２５    低目付部（折曲基点部）
２６    圧搾部（折曲基点部）
６０    テープ部材
８０    折曲基点部
Ｆ１、Ｆ２、Ｆ３    折り目（折曲基点部）
Ｒ１    第１領域
Ｒ２    第２領域
Ｌ      前後方向
Ｗ      幅方向
【図１】
2019115592.tif 000003
【図２】
2019115592.tif 000004
【図３】
2019115592.tif 000005
【図４】
2019115592.tif 000006
【図５】
2019115592.tif 000007